(57)【要約】【課題】エアクリーナボックスの大きさに係わらず燃料タンクの容積を十分に確保しつつ燃料をエンジンに確実に送給可能な自動二輪車の燃料タンク構造を提案する。【解決手段】自動二輪車１の燃料タンク構造２２は、メインフレーム１７の下側に搭載されたエンジン５と、車両側面視において略Ｌ字形状に形成され、エンジン５の後方に配置されて車両の上下へ延びた前膨出部６２および前膨出部６２の下方から連続させて車両の後方へ延びた下半底部６３を有する燃料タンク２３と、下半底部６３の最も低くなった部分に設けられた燃料ポンプ６４と、下半底部６３の上方に配置された着座シート５９と、を備える。【選択図】  図４
2012001047.tif 000002
【特許請求の範囲】
【請求項１】
車両の前後に延びた左右一対のメインフレームと、
前記メインフレームの下側に搭載されたエンジンと、
前記車両側面視において略Ｌ字形状に形成され、前記エンジンの後方に配置されて前記車両の上下へ延びた前膨出部および前記前膨出部の下方から連続させて前記車両の後方へ延びた下半底部を有する燃料タンクと、
前記下半底部の最も低くなった部分に設けられた燃料ポンプと、
前記下半底部の上方に配置された着座シートと、を備えたことを特徴とする自動二輪車の燃料タンク構造。
【請求項２】
前記メインフレームの後端部に一体に設けられ略下方に向かって延びた左右一対のセンターフレームと、
前記センターフレームの上下方向略中央に軸支されたスイングアームと、
前記エンジンと前記燃料ポンプとの間の空間に配置されるとともに前記メインフレームの後端部もしくは前記センターフレームの上端部に連結された上端および前記スイングアームに連結された下端を有するサスペンションユニットと、を備えたことを特徴とする請求項１に記載の自動二輪車の燃料タンク構造。
【請求項３】
前記燃料ポンプの下方を覆うボトムカバーを備えたことを特徴とする請求項１に記載の自動二輪車の燃料タンク構造。
【発明の詳細な説明】
【技術分野】
【０００１】
本発明は、自動二輪車の燃料タンク構造に関する。
【背景技術】
【０００２】
所謂スーパースポーツタイプの自動二輪車は、エンジンの出力向上を図るため、エアクリーナボックス内に開口するアウトレットチューブ（吸気ダクト）からスロットルボディおよび吸気ポートに至る吸気経路を概略直線状に構成し、かつ略鉛直方向に指向させた吸気系（所謂ダウンドラフト方式の吸気系）を採用したものが知られている。
【０００３】
そして、ダウンドラフト方式の吸気系を備えた自動二輪車は、左右一対のメインフレームもしくは左右一対のタンクレールと、左右のメインフレームもしくは左右のタンクレールの間に搭載されたエンジンと、左右のメインフレームもしくは左右のタンクレールの間に跨がるように搭載されたタンクカバーと、タンクカバーの前側に収容されたエアクリーナボックスと、タンクカバーの後側に収容された燃料タンクと、を備える。エアクリーナボックスは、ダウンドラフト方式の吸気系を構成するためにエンジン上方を覆う。タンクカバーは、一般にハンドルと着座シートとの間に配置される。（例えば、特許文献１参照。）
【先行技術文献】
【特許文献】
【０００４】
【特許文献１】特開２００４−３１４６７９号公報
【発明の概要】
【発明が解決しようとする課題】
【０００５】
従来の自動二輪車は、ダウンドラフト方式の吸気系を構成するエアクリーナボックスがエンジン上方を覆うため、エアクリーナボックスとともにタンクカバーに収容される燃料タンクの大きさ（容積）が制限される。
【０００６】
しかしながら、タンクカバーは、搭乗者の体格を考慮すると極端に大型化することができない。
【０００７】
一方、エンジンの出力向上を図る上で、エンジンの燃料供給系統に燃料噴射装置を採用する場合がある。これにともない、燃料噴射装置に燃料を送給する燃料ポンプを燃料タンクに設けることがある。このような燃料供給系統を備えた自動二輪車において、燃料タンクの安易な大型化は、燃料ポンプとエンジンとの相対的な距離を縮めることになる。燃料ポンプとエンジンとが近づきすぎるとエンジンの放射熱によって燃料ポンプ内のガソリンが気化してしまい燃料ポンプによる燃料供給に問題が生じるので、燃料ポンプとエンジンとの間の離間距離の確保や放射熱の遮蔽は、燃料タンクの大型化にともなう課題である。
【０００８】
そこで、本発明は、エアクリーナボックスの大きさに係わらず燃料タンクの容積を十分に確保しつつ燃料をエンジンに確実に送給可能な自動二輪車の燃料タンク構造を提案することを目的とする。
【課題を解決するための手段】
【０００９】
前記の課題を解決するため本発明に係る自動二輪車の燃料タンク構造は、車両の前後に延びた左右一対のメインフレームと、前記メインフレームの下側に搭載されたエンジンと、前記車両側面視において略Ｌ字形状に形成され、前記エンジンの後方に配置されて前記車両の上下へ延びた前膨出部および前記前膨出部の下方から連続させて前記車両の後方へ延びた下半底部を有する燃料タンクと、前記下半底部の最も低くなった部分に設けられた燃料ポンプと、前記下半底部の上方に配置された着座シートと、を備えたことを特徴とする。
【発明の効果】
【００１０】
本発明によれば、エアクリーナボックスの大きさに係わらず燃料タンクの容積を十分に確保しつつ燃料をエンジンに確実に送給可能な自動二輪車の燃料タンク構造を提案できる。
【図面の簡単な説明】
【００１１】
【図１】本発明の実施形態に係る燃料タンク構造を備えた自動二輪車を示した左側面図。
【図２】本発明の実施形態に係る自動二輪車の燃料タンク構造を示した左側面図。
【図３】本発明の実施形態に係る自動二輪車の燃料タンク構造を示した左側面図。
【図４】本発明の実施形態に係る自動二輪車の燃料タンク構造を示した左側面図。
【図５】本発明の実施形態に係る自動二輪車の燃料タンク構造を示した背面図。
【図６】本発明の実施形態に係る自動二輪車の燃料タンク構造の燃料タンクを示した側面図。
【図７】本発明の実施形態に係る自動二輪車の燃料タンク構造の燃料タンクを示した斜視図。
【図８】本発明の実施形態に係る自動二輪車の燃料タンク構造のボトムカバーを示した側面図。
【図９】本発明の実施形態に係る自動二輪車の燃料タンク構造のボトムカバーを示した斜視図。
【発明を実施するための形態】
【００１２】
以下、本発明に係る自動二輪車の燃料タンク構造の実施の形態について、図１から図９を参照して説明する。
【００１３】
図１は、本発明の実施形態に係る燃料タンク構造を備えた自動二輪車を示した左側面図である。
【００１４】
なお、自動二輪車１の構造を説明するにあたり、図１中の実線矢Ｆを前方、図１中の実線矢Ｒを後方と定義する。また、自動二輪車１の搭乗者から見て左手側を自動二輪車１の左方、その反対側を自動二輪車１の右方と定義する。さらに自動二輪車１の搭乗者の頭部側を自動二輪車１の上方、その反対側を自動二輪車１の下方と定義する。また、自動二輪車１を構成する各部の方向については自動二輪車１に準じる。
【００１５】
図１に示すように、自動二輪車１は、車体フレーム２と、車体フレーム２に搭載されたエンジン５と、車体フレーム２の前端部に軸支されたステアリング機構６と、ステアリング機構６の下端部に軸支された前輪８と、ステアリング機構９に設けられた前輪懸架装置１１と、車体フレーム２の後部に上下方向へ揺動自在に軸支されたスイングアーム１２と、スイングアーム１２の後端部に軸支された後輪１３と、車体フレーム２とスイングアーム１２との間に連結された後輪懸架装置１５と、を備える。
【００１６】
車体フレーム２は、例えばツインチューブ型のものである。車体フレーム２は、前端部に配置されたヘッドパイプ１６と、ヘッドパイプ１６の直後で左右方向に拡開させて斜め後下方に延びてタンクレールを兼ねた左右一対のメインフレーム１７と、メインフレーム１７の後端部に一体に設けられ略下方に向かって延びた左右一対のセンターフレーム１８と、メインフレーム１７の後端部から斜め後上方に延びた左右一対のシートレール１９と、を備える。
【００１７】
ヘッドパイプ１６は、内装されたステアリングシャフト（図示省略）を介してステアリング機構６を軸支する。センターフレーム１８は、その長手方向の略中央部に架設されたピボット軸２１を支持する。ピボット軸２１は、スイングアーム１２を軸支する。
【００１８】
メインフレーム１７およびシートレール１９は、燃料タンク構造２２を構成する燃料タンク２３を下方から支持する。
【００１９】
エンジン５は、自動二輪車１の中央下部、より詳しくはメインフレーム１７の下方に配置されるとともにエンジン吸気系２５およびエンジン排気系２６に接続される。なお、エンジン５は、４サイクル多気筒エンジンである並列四気筒エンジンの他に、単気筒エンジン、並列二気筒エンジン、並列六気筒エンジン、Ｖ型二気筒エンジン、Ｖ型四気筒エンジン、Ｖ型六気筒エンジンが適宜に用いられる。エンジン５の出力は、二次減速機構（図示省略）を構成するチェーン（図示省略）からドリブンスプロケット（図示省略）を介して後輪１３に伝達される。
【００２０】
また、エンジン５は、燃料室（図示省略）を有するシリンダ、動弁機構（図示省略）および吸排気ポート（図示省略）を有するシリンダヘッドなどから構成されたシリンダアッセンブリ５ａと、クランクシャフト（図示省略）やトランスミッション（図示省略）を有するクランクアッセンブリ５ｂと、を備える。
【００２１】
エンジン吸気系２５は、エンジン５の上方に配置されたスロットルボディ２７と、スロットルボディ２７の上方に配置されたエアクリーナボックス２８と、を備える。エンジン吸気系２５は、エアクリーナボックス２８内に開口するアウトレットチューブ（図示省略）からスロットルボディ２７および吸気ポートに至る吸気経路を概略直線状に構成し、かつ略鉛直方向に指向させた所謂ダウンドラフト方式の吸気系である。
【００２２】
エンジン排気系２６は、エンジン５の前方から下方を回って自動二輪車１の後方に延ばされたエキゾーストパイプ２９と、自動二輪車１の車幅方向両側に配置されてエキゾーストパイプ２９に接続されたマフラ３１と、を備える。マフラ３１は、後輪１３の両側付近から自動二輪車１の斜後上方に向かって延ばされる。
【００２３】
ステアリング機構６は、ヘッドパイプ１６およびステアリングシャフトによって自動二輪車１の左右方向へ回動自在に軸支される。ステアリング機構６は、ステアリングシャフトに軸支されたステアリングヘッド３３と、ステアリングヘッド３３に設けられた左右一対のフロントフォーク３４と、フロントフォーク３４の上端近傍またはステアリングヘッド３３に設けられた一対のハンドルバー３５と、を備える。左右それぞれのハンドルバー３５は、ハンドルグリップ３６を備える。自動二輪車１の右側に配置されたハンドルグリップ３６は、スロットルグリップ３７である。
【００２４】
前輪８は、ステアリング機構６のハンドルバー３５によって左右に回動自在に操舵される。また、前輪８は、前輪車軸４１によってフロントフォーク３４に軸支された前輪ホイール４２と、前輪ホイール４２の外周部に被着された前輪タイヤ４３と、前輪ホイール４２にボルトなどの締結部材（図示省略）によって固定された前輪ブレーキプレート４５と、を備える。
【００２５】
スイングアーム１２の前端部は、センターフレーム１８の上下方向において略中央に設けられたピボット軸２１に軸支される。
【００２６】
後輪１３は、後輪車軸４７によってスイングアーム１２に軸支された後輪ホイール４８と、後輪ホイール４８の外周部に被着された後輪タイヤ４９と、後輪ホイール４８にボルトなどの締結部材（図示省略）によって固定された後輪ブレーキプレート（図示省略）と、を備える。
【００２７】
後輪懸架装置１５は、後輪１３が捕らえた路面の凹凸によるスイングアーム１２の上下方向の揺動を車体フレーム２に伝えないように緩衝する緩衝装置であり、後輪１３を路面に押さえ付ける機能を兼ねている。後輪懸架装置１５は、スプリング５０と、ショックアブソーバー５１と、を組み合わせたサスペンションユニット５２を備える。
【００２８】
また、自動二輪車１は、車両の少なくとも一部、例えば、前部から中央下部にかけて流線形のカウリング５３に覆われる。カウリング５３は、自動二輪車１の走行中の空気抵抗を低減させるとともに、走行風圧からライダーを保護する。カウリング５３は、車両の前部を覆うフロントカバー５５と、エンジン５の側方を覆う左右一対のサイドカバー５６と、エアクリーナボックス２８を覆うエアクリーナボックスカバー５７と、エアクリーナボックスカバー５７に連接させて連続され燃料タンク２３を覆うとともに車両の後方を覆うシートカウル５８と、を備える。シートカウル５８は着座シート５９を支持する。
【００２９】
図２から図４は、本発明の実施形態に係る自動二輪車の燃料タンク構造を示した左側面図である。
【００３０】
なお、図３は、図２からシートカウル５８および着座シート５９を取り除いて示した図である。また、図４は、図２からシートカウル５８、着座シート５９およびボトムカバー６１を取り除いて示した図である。
【００３１】
図５は、本発明の実施形態に係る自動二輪車の燃料タンク構造を示した背面図である。
【００３２】
図２から図５に示すように、自動二輪車１の燃料タンク構造２２は、車両の前後に延びた左右一対のメインフレーム１７と、メインフレーム１７の下側に搭載されたエンジン５と、車両側面視において略Ｌ字形状に形成され、エンジン５の後方に配置されて車両の上下へ延びた前膨出部６２および前膨出部６２の下方から連続させて車両の後方へ延びた下半底部６３を有する燃料タンク２３と、下半底部６３の最も低くなった部分に設けられた燃料ポンプ６４と、燃料タンク２３の上方に配置された着座シート５９と、を備える。
【００３３】
また、燃料タンク構造２２は、エンジン５と燃料ポンプ６４との間の空間に配置されるとともにメインフレーム１７の後端部もしくはセンターフレーム１８の上端部に連結された上端およびスイングアーム１２に連結された下端を有するサスペンションユニット５２と、を備える。
【００３４】
さらに、燃料タンク構造２２は、メインフレーム１７に設けられ燃料タンク２３の下方から燃料タンク２３を支持するとともに燃料タンク２３の幅よりも内側に配置された左右一対のシートレール１９を備える。
【００３５】
さらにまた、燃料タンク構造２２は、メインフレーム１７に設けられて燃料タンク２３をメインフレーム１７に支持させる前部固定ブラケット６５と、燃料タンク２３に設けられシートレール１９の起端部を挟み込み燃料タンク２３をシートレール１９に支持させる中間部固定ブラケット６６と、前部固定ブラケット６５を燃料タンク２３に締結させる前部締結部材６７と、中間部固定ブラケット６６をシートレール１９に締結させる後部締結部材６８と、シートレール１９の後端部に設けられたゴム弾性体６９と、を備える。
【００３６】
また、燃料タンク構造２２は、燃料タンク２３の一部を覆うシートカウル５８と、シートカウル５８とともに燃料タンク２３を覆うボトムカバー６１と、を備える。
【００３７】
メインフレーム１７は、車両前方側が高くなるように傾けられて車両の前後に延びたフレームであり、エンジン５の上方でありかつ燃料タンク２３の前側にエアクリーナボックス２８を支持する。
【００３８】
燃料タンク２３は、アルミニウム合金を用いて形成され、エンジン５の後方に配置されて車両の上下へ延びた前膨出部６２と、前膨出部６２の下方から連続させて車両の後方へ延びた下半底部６３と、を備える。前膨出部６２と下半底部６３の前半部はメインフレーム１７の後端部近傍に支持され、下半底部６３の後半部はシートレール１９に支持される。
【００３９】
前膨出部６２は、エアクリーナボックス２８を覆うエアクリーナボックスカバー５７の後端部に滑らかに連接された外面を有し、前膨出部６２とエアクリーナボックスカバー５７との継ぎ目が目立たない程度に滑らかに接続される。
【００４０】
下半底部６３は車両の後方へ延びて着座シート５９の下方に潜り込まされる。また、下半底部６３は、後輪１３の上方に至る長さを有する。下半底部６３は車両前方側が低く後方に向かって高くなるように傾けられた上面壁６３ａと、前後方向略中央部で最も低くなった底壁６３ｂと、を有する。
【００４１】
また、燃料タンク２３は、車両側面視において前寄りに配置させて形成された左右一対の前凹部７２と、燃料ポンプ６４の重心よりも後方に配置させて形成された左右一対の後凹部７３と、を有する。なお、Ｌ字形状に形成された燃料タンク２３の重心位置は前膨出部６２側に存在しているので、後凹部７３は燃料ポンプ６４および燃料タンク２３の全体の重心よりも後方に配置されることになる。
【００４２】
前凹部７２は、前膨出部６２の下方に位置され、下半底部６３の側面壁６３ｃを凹没させて形成される。
【００４３】
後凹部７３は、シートレール１９のゴム弾性体６９の上方に配置され、下半底部６３の側面壁６３ｃと底壁６３ｂとの角部分を凹没させて形成される。
【００４４】
燃料ポンプ６４は燃料タンク２３に収容されて下半底部６３の底壁６３ｂに支持される。燃料ポンプ６４は、車両の平面視において前膨出部６２よりも後方であり、かつ車両の側面視において最も低い底壁６３ｂの前後方向略中央部に設けられる。この底壁６３ｂの前後方向略中央部はメインフレーム１７およびセンターフレーム１８よりも後方に位置するので、燃料ポンプ６４はメインフレーム１７およびセンターフレーム１８に抱え込まれるように搭載されたエンジン５から十分に離間される。一方、燃料ポンプ６４は、後輪１３よりも前側に配置される。燃料ポンプ６４は、エンジン５に設けられた燃料噴射装置（図示省略）に燃料であるガソリンを供給する。
【００４５】
前部固定ブラケット６５は、燃料タンク２３の前凹部７２を着脱自在に挟み込んで燃料タンク２３をメインフレーム１７に支持させる。
【００４６】
中間部固定ブラケット６６は、シートレール１９の起端部を着脱自在に挟み込んで燃料タンク２３をシートレール１９に支持させる。
【００４７】
ゴム弾性体６９は、燃料タンク２３の後凹部７３の下方に配置されつつ後凹部７３に隙間を空けて配置される。
【００４８】
着座シート５９は、下半底部６３の上方に配置され、シートカウル５８を介して燃料タンク２３に一体的に固定される。
【００４９】
サスペンションユニット５２はエンジン５の放射熱から燃料ポンプ６４を遮る熱シールドとしても機能する。サスペンションユニット５２はメインフレーム１７の後端部もしくはセンターフレーム１８の上端部に設けられたサスペンションブラケット７４を介して車体フレーム２に連結される。
【００５０】
シートレール１９は、メインフレーム１７の後端部に接続された前端から車両平面視において燃料ポンプ６４を挟み込む後端まで延ばされたフレームである。
【００５１】
シートカウル５８は、燃料タンク２３に固定されるとともに上面壁６３ａおよび側面壁６３ｃを覆い車両後方へ延ばされる。
【００５２】
ボトムカバー６１は、燃料タンク２３に固定されるとともに底壁６３ｂおよび側面壁６３ｃを覆う。ボトムカバー６１は、燃料タンク２３の下半底部６３が着座シート５９の下方へ潜り込んだことによってエキゾーストパイプ２９やマフラ３１などのエンジン排気系２６に近づいた燃料ポンプ６４をこれらの放射熱から遮り、燃料ポンプ６４内における気泡の発生を防ぐ。また、ボトムカバー６１は、後輪１３の跳ね上げる泥や砂から燃料ポンプ６４を保護する機能も担う。
【００５３】
ここで、整備などの際に車両からサスペンションユニット５２を取り外す場合、サスペンションユニット５２は、先ずメインフレーム１７の後端部もしくはセンターフレーム１８の上端部に連結された上端の連結を解除され、スイングアーム１２に連結された下端を中心に車両の後方へ倒し込まれた後、下端の連結を解除されて車両の後方へ向かって引き抜かれるようにして車両から取り外される。このとき、サスペンションユニット５２の上端は燃料タンク２３および燃料ポンプ６４の近傍を通過して車両の後方へ移動する。そこで、ボトムカバー６１は、この倒し込みにともなうサスペンションユニット５２の上端と燃料タンク２３または燃料ポンプ６４との干渉、衝突を未然に防ぐ機能も兼ねる。なお、サスペンションユニット５２を車両に取り付ける場合、サスペンションユニット５２は、取り外しの逆手順で車両に取り付けられる。このときも、ボトムカバー６１は、倒し込みにともなうサスペンションユニット５２の上端と燃料タンク２３または燃料ポンプ６４との干渉、衝突を未然に防ぐ。
【００５４】
図６は、本発明の実施形態に係る自動二輪車の燃料タンク構造の燃料タンクを示した側面図である。
【００５５】
図７は、本発明の実施形態に係る自動二輪車の燃料タンク構造の燃料タンクを示した斜視図である。
【００５６】
図６および図７に示すように、燃料タンク構造２２の燃料タンク２３は、前凹部７２および後凹部７３の他に、シートカウル５８を燃料タンク２３に固定させるシートカウル締結部７５、７６と、ボトムカバー６１を燃料タンク２３に固定させるボトムカバー締結部７７、７８と、を備える。
【００５７】
シートカウル締結部７５、７６およびボトムカバー締結部７７、７８はそれぞれ左右に一対ずつ設けられる。
【００５８】
シートカウル締結部７５は、燃料タンク２３の前膨出部６２の下方近傍に配置されシートカウル５８の前側を固定する。他方、シートカウル締結部７６は、燃料タンク２３の下半底部６３の後端近傍に配置されシートカウル５８の後側を固定する。
【００５９】
ボトムカバー締結部７７は、中間部固定ブラケット６６の上方に配置されボトムカバー６１の前側を固定する。他方、ボトムカバー締結部７８は、下半底部６３の後端近傍に配置されボトムカバー６１の後側を固定する。
【００６０】
燃料タンク２３の底壁６３ｂは、燃料ポンプ６４に連通された送給口８１を有する。
【００６１】
図８は、本発明の実施形態に係る自動二輪車の燃料タンク構造のボトムカバーを示した側面図である。
【００６２】
図９は、本発明の実施形態に係る自動二輪車の燃料タンク構造のボトムカバーを示した斜視図である。
【００６３】
図８および図９に示すように、燃料タンク構造２２のボトムカバー６１は、燃料タンク２３に固定された中間部固定ブラケット６６を通す開口８２と、燃料タンク２３の後凹部７３に対応させた開口８５とを有する。また、ボトムカバー６１は、燃料ポンプ６４の底部および燃料ポンプ６４から燃料噴射装置（図示省略）にガソリンを送給する送給管８６に対応させて部分的に膨出された底面６１ａを有する。底面６１ａの膨出部は、後輪１３によって巻き上げられる泥や砂から燃料ポンプ６４および送給管８６を保護する。
【００６４】
なお、燃料タンク２３、着座シート５９、シートカウル５８およびボトムカバー６１は、一体的に車両に取り付けまたは取り外すことができるものであり、これらは先ずボトムカバー６１を燃料タンク２３に取り付けた後、シートカウル５８を燃料タンク２３に取り付けて一体的に構成される。
【００６５】
本実施形態に係る自動二輪車１の燃料タンク構造２２によれば、エアクリーナボックス２８を燃料タンク２３の前方かつエンジン５の上方に配置しつつ大型化して所謂ダウンドラフト方式のエンジン吸気系２５を構成できるとともに、燃料タンク２３をエアクリーナボックス２８の後方から着座シート５９の下方へと膨出させて潜り込ませて燃料タンク２３の容積を十分に確保することができる。
【００６６】
また、本実施形態に係る自動二輪車１の燃料タンク構造２２によれば、燃料タンク２３において最も低い底壁６３ｂの前後方向略中央部に燃料ポンプ６４を備えるので、燃料タンク２３内の燃料を略全量、エンジン５に送給することができるとともに熱源であるエンジン５から燃料ポンプ６４を極力遠ざけることができる。一方、燃料ポンプ６４は、後輪１３よりも前側に配置されるので、スイングアーム１２が揺動しても後輪１３に干渉することはない。
【００６７】
さらに、本実施形態に係る自動二輪車１の燃料タンク構造２２によれば、エンジン５と燃料ポンプ６４との間の空間に配置されたサスペンションユニット５２を備えるので、燃料ポンプ６４をエンジン５の放射熱から遮ることができる。
【００６８】
さらにまた、本実施形態に係る自動二輪車１の燃料タンク構造２２によれば、燃料タンク２３が着座シート５９の下方に潜り込み燃料ポンプ６４がエキゾーストパイプ２９やマフラ３１などのエンジン排気系２６に近づくものの、ボトムカバー６１によって燃料ポンプ６４をエンジン５の放射熱から遮ることができる。
【００６９】
したがって、本実施形態に係る自動二輪車１の燃料タンク構造２２は、エアクリーナボックス２８の大きさに係わらず燃料タンク２３の容積を十分に確保しつつ燃料をエンジン５に確実に送給する。
【符号の説明】
【００７０】
１  自動二輪車
２  車体フレーム
５  エンジン
５ａ  シリンダアッセンブリ
５ｂ  クランクアッセンブリ
６  ステアリング機構
８  前輪
９  ステアリング機構
１１  前輪懸架装置
１２  スイングアーム
１３  後輪
１５  後輪懸架装置
１６  ヘッドパイプ
１７  メインフレーム
１８  センターフレーム
１９  シートレール
２１  ピボット軸
２２  燃料タンク構造
２３  燃料タンク
２５  エンジン吸気系
２６  エンジン排気系
２７  スロットルボディ
２８  エアクリーナボックス
２９  エキゾーストパイプ
３１  マフラ
３３  ステアリングヘッド
３４  フロントフォーク
３５  ハンドルバー
３６  ハンドルグリップ
３７  スロットルグリップ
４１  前輪車軸
４２  前輪ホイール
４３  前輪タイヤ
４５  前輪ブレーキプレート
４７  後輪車軸
４８  後輪ホイール
４９  後輪タイヤ
５０  スプリング
５１  ショックアブソーバー
５２  サスペンションユニット
５３  カウリング
５５  フロントカバー
５６  サイドカバー
５７  エアクリーナボックスカバー
５８  シートカウル
５９  着座シート
６１  ボトムカバー
６１ａ  底面
６２  前膨出部
６３  下半底部
６３ａ  上面壁
６３ｂ  底壁
６３ｃ  側面壁
６４  燃料ポンプ
６５  前部固定ブラケット
６６  中間部固定ブラケット
６７  前部締結部材
６８  後部締結部材
６９  ゴム弾性体
７２  前凹部
７３  後凹部
７４  サスペンションブラケット
７５  シートカウル締結部
７６  シートカウル締結部
７７  ボトムカバー締結部
７８  ボトムカバー締結部
８１  送給口
８２  開口
８５  開口
８６  送給管
【図１】
2012001047.tif 000003
【図２】
2012001047.tif 000004
【図３】
2012001047.tif 000005
【図４】
2012001047.tif 000006
【図５】
2012001047.tif 000007
【図６】
2012001047.tif 000008
【図７】
2012001047.tif 000009
【図８】
2012001047.tif 000010
【図９】
2012001047.tif 000011